(57)【要約】【課    題】   チタン微粉末を混入したシリコーンエラストマー層を皮膚接触側に、シリコーンエラストマーの飾り突条を外側に有するシリコーンエラストマー装身具本体からなる環状形成が可能な身体装身具の提供。【解決手段】  高圧水中で酸素と水素の混合ガスを燃焼させ、その燃焼ガスで元素金属チタンを溶融させることによって水中に沈下したチタン微粉末を少なくとも主成分とするチタン微粉末を混入したシリコーンエラストマー層を皮膚接触側に、シリコーンエラストマーの飾り突条を外側に有するシリコーンエラストマー装身具本体からなる身体装身具の製造方法であって、先ず、シリコーンエラストマー装身具本体に連続凹部を形成し、次に該連続凹部にチタン微粉末含有シリコーンエラストマー層を埋め、さらに別途シリコーンエラストマーの飾り突条を形成しておき、最後に該飾り突条の上に先に得られた装身具本体を載置して加熱加硫して一体化することを特徴とする身体装身具を製造する。【選択図面】  図１
2006000147.tif 000002
【特許請求の範囲】
【請求項１】
皮膚接触側にチタン微粉末を混入したシリコーンエラストマー層を有し、外側にシリコーンエラストマーの飾り突条を有するシリコーンエラストマー装身具本体からなることを特徴とする、環状形成が可能な身体装身具。
【請求項２】
チタン微粉末を混入したシリコーンエラストマー層は、金型成形によって、又はチタン微粉末を混入したシリコーンエラストマーを含む溶剤溶液の塗布によって形成されることを特徴とする請求項１の身体装身具。
【請求項３】
ネックレス、ブレスレット、リストバンド又はヘアバンドから選ばれたものであることを特徴とする請求項１の身体装身具。
【請求項４】
チタン微粉末として、高圧水中で酸素と水素の混合ガスを燃焼させ、その燃焼ガスで元素金属チタンを溶融させることによって水中に沈下したチタン微粉末を少なくとも主成分として使用することを特徴とする請求項１〜３のいずれかに記載の身体装身具。
【請求項５】
チタン微粉末を混入したシリコーンエラストマー層を皮膚接触側に、シリコーンエラストマーの飾り突条を外側に有するシリコーンエラストマー装身具本体からなる身体装身具の製造方法であって、第１工程としてシリコーンエラストマー装身具本体に連続凹部を形成し、第２工程として該連続凹部に高圧水中で酸素と水素の混合ガスを燃焼させ、その燃焼ガスで元素金属チタンを溶融させることによって水中に沈下したチタン微粉末を少なくとも主成分として含有するシリコーンエラストマー層を埋め、第３工程として別途シリコーンエラストマーの飾り突条を形成し、第４工程として該飾り突条の上に第２工程で得られた装身具本体を載置して加熱加硫して一体化することを特徴とする身体装身具の製造方法。
【請求項６】
チタン微粉末を混入したシリコーンエラストマー層を皮膚接触側に、シリコーンエラストマーの飾り突条を外側に有するシリコーンエラストマー装身具本体からなる身体装身具の製造方法であって、先ずシリコーンエラストマーの飾り突条を形成し、次いで該飾り突条の上に装身具本体を載置して加熱加硫して一体化し、しかる後、上記チタン微粉末を混入したシリコーンエラストマーを含む溶剤溶液を塗布することを特徴とする身体装身具の製造方法。
【発明の詳細な説明】
【技術分野】
【０００１】
本発明は、身体各所に装着することによって健康改善に寄与する、チタン微粉末を含有した身体装身具及びその製造に関する。
本発明の身体装身具は、そのままを環状形成して使用できるが、長尺が必要なときには、複数個を連結して環状に形成して使用することも可能である。
【背景技術】
【０００２】
装身具は、古典的には金属材料を使用し、プレス加工、切削加工、研削加工等の加工手段で目的の形状に成形されていたが、装身具のデザインの多様化で形状が複雑になり、上複雑形状に加工するのが難しくなり、量産する上でも問題が多かった。金属粉末射出成形法で、時計ケースやイヤリング等の装身具の焼結体を製造することも知られている（特開平９−５３１５９号公報）。材料が金属に限らず、合成樹脂やゴム等にマグネット微粉末を配合して磁気による血行促進の効用を有する装身具も知られている（実用新案登録第３０６８７５８号）。美装品成形のための材料として、ゴム、合成樹脂を用いることも、例えばアクリル樹脂等の熱可塑性合成樹脂材料に貝パウダーや炭酸カルシウムを混入し射出成形して得た装身具（特開昭５５−７４５６号公報）が知られている。
【０００３】
一方、シリコーンゴム材料の成形法は、他のゴム系材料の成形に比して比較的新しいが、薄肉シリコーンゴムシート模様片を厚肉の未加硫シリコーンゴムシート上に配置した模様入りシリコーンゴム装飾品の製造方法（特開昭６３−５７２１１号公報）、液状シリコーンゴムを予め金型内に注入し、上から布シートを載置して一体化した立体デザインのすぐれた布製水泳帽の製造法（特開平２−２７９３１２号公報）、第１金型と第２金型にシリコーンゴムを充填し、電子部品等の内装品を介在させて一体化する方法（特開平５−２６１７４４号公報）、シリコーンゴム（ミラブル型）と服飾用資材用素材とからなる成形品の製造法（特開平１１−４６８１０号公報）、シリコーンゴムシートを金型に合わせて切り出して衣料品やバック類を製造する方法（特開２０００−３１７９６６号公報）が公知である。
【０００４】
さらに、シリコーンゴム材料を用いて装飾品を製造することも知られており、
成形金型内のシリコーンゴムリングの中に色違いビーズを複数個載置することによるブレスレット、アンクレット、ネックレス等の多色プレス製品製造法（特開２０００−３４０８５５号公報）も知られている。
上述するような従来法では、金属材料では複雑形状製品の製造が煩雑で、手数がかかるので、所望形状の身体装身具を簡易に製造する技術が希求されていた。本発明では、シリコーンエラストマー材料を使用することによって、容易に身体装身具を製造することができる。
【０００５】
【特許文献１】特開平０９−０５３１５９号公報
【特許文献２】実用新案登録第３０６８７５８号
【特許文献３】特開昭５５−００７４５６号公報
【特許文献４】特開昭６３−０５７２１１号公報
【特許文献５】特開平０２−２７９３１２号公報
【特許文献６】特開平０５−２６１７４４号公報
【特許文献７】特開平１１−０４６８１０号公報
【特許文献８】特開２０００−３１７９６６号公報
【特許文献９】特開２０００−３４０８５５号公報
【発明の開示】
【発明が解決しようとする課題】
【０００６】
従来のプラスチックと金属、プラスチックとプラスチック、合成皮革とゴムの各混合物を材料として形成された身体装身具には得られなかった、ソフトな感触、透明感、装飾性を備え、従来の磁石含有の装身具よりも健康増進への寄与面で優れた効果のある身体装身具を提供することを課題とする。
【課題を解決するための手段】
【０００７】
本発明は、以下の構成を基本的特徴とするものである。
（１）チタン微粉末を混入したシリコーンエラストマー層を皮膚接触側に、シリコーンエラストマーの飾り突条を外側に有するシリコーンエラストマー装身具本体からなり、環状形成が可能な身体装身具。
（２）チタン微粉末を混入したシリコーンエラストマー層は金型成形又はチタン微粉末を混入したシリコーンエラストマーを含む溶剤溶液の塗布によって形成することを特徴とする上記（１）の身体装身具。
（３）ネックレス、リストバンド又はヘアバンドから選ばれたものであることを特徴とする上記（１）の身体装身具。
（４）チタン微粉末として、高圧水中で酸素と水素の混合ガスを燃焼させ、その燃焼ガスで元素金属チタンを溶融させることによって水中に沈下したチタン微粉末を少なくとも主成分として使用することを特徴とする（１）〜（３）のいずれかに記載の身体装身具。
（５）チタン微粉末を混入したシリコーンエラストマー層を皮膚接触側に、シリコーンエラストマーの飾り突条を外側に有するシリコーンエラストマー装身具本体からなる身体装身具の製造方法であって、第１工程としてシリコーンエラストマー装身具本体に連続凹部を形成し、第２工程として該連続凹部に高圧水中で酸素と水素の混合ガスを燃焼させ、その燃焼ガスで元素金属チタンを溶融させることによって水中に沈下したチタン微粉末を少なくとも主成分として含有するシリコーンエラストマー層を埋め、第３工程として別途シリコーンエラストマーの飾り突条を形成し、第４工程として該飾り突条の上に第２工程で得られた装身具本体を載置して加熱加硫して一体化することを特徴とする身体装身具の製造方法。
（６）チタン微粉末を混入したシリコーンエラストマー層を皮膚接触側に、シリコーンエラストマーの飾り突条を外側に有するシリコーンエラストマー装身具本体からなる身体装身具の製造方法であって、先ずシリコーンエラストマーの飾り突条を形成し、次いで該飾り突条の上に装身具本体を載置して加熱加硫して一体化し、しかる後、上記チタン微粉末を混入したシリコーンエラストマーを含む溶剤溶液を塗布することを特徴とする身体装身具の製造方法。
【発明の効果】
【０００８】
本発明における健康増進効果のあるチタン微粉末を組み込んだ身体装身具をシリコーンエラストマーで作成して身体に装着することによりツボや患部を刺激して血行を促進し、肩凝りや筋肉痛を癒すことのできるといった効果をもつ可撓性のある安定した製品を安価に製造する方法を確立して、服飾用装身具を兼ねた製品を得ることが可能となった。
【発明を実施するための最良の形態】
【０００９】
本発明の製造法は、チタン微粉末を混入したシリコーンエラストマー層を皮膚接触側に、シリコーンエラストマーの飾り突条を外側に有するシリコーンエラストマー装身具本体からなる身体装身具を製造するものであるが、チタン微粉末を混入したシリコーンエラストマー層、シリコーンエラストマーの飾り突条及びシリコーンエラストマー装身具本体をそれぞれ形成するには、押出成形法、射出成形法や圧縮成形法が適用できるが、金型を用いた圧縮成形によって成形するのが適する。
すなわち、本発明では、圧縮成形によりシリコーンエラストマー装身具を形成するには、第１工程としてシリコーンエラストマー装身具本体に連続凹部を形成し、第２工程として該連続凹部にチタン微粉末含有シリコーンエラストマー層を埋め、第３工程として別途シリコーンエラストマーの飾り突条を形成し、第４工程として該飾り突条の上に第２工程で得られた装身具本体を載置して加熱加硫して一体化することによって身体装身具を製造することができる。
また、本発明では別法として、最初に上記第３工程に相当する、飾り突条を形成する工程、第４工程に相当する、得られた飾り突条の上にシリコーンエラストマー本体を載置し、一体化した後、チタン微粉末を混入したシリコーンエラストマーの溶剤溶液をシリコーンエラストマー本体の一部に帯状に塗布することもできるが、この塗布法によってチタン微粉末含有層を設けるときは、塗布域の正確な制御が難しい上に、塗布層が摩耗などによって脱落するという耐久性が、前者に比して劣ることもある。しかしながら、上記圧縮法、塗布層の何れにおいてもその作用効果に変わるところはない。
【００１０】
本発明において使用するシリコーンエラストマーは、シロキサン結合を持つ有機ケイ素ポリマーの中で、ゴム状を呈するものであれば、限定されることなく使用することができる。
また、シリコーンエラストマーに混入するチタン粉末としては、少なくとも主成分としては、高圧水中で酸素と水素の混合ガスを燃焼させ、その燃焼ガスで金属チタンを加熱し、粉末化したチタン微粉末を用いるのが適当である（特許第３５０７０６３号）。これは、この方法で得られたチタン微粉末が、副生物や不純物などの生成が全く含まれておらず、得られた金属粉末の球状形状の均一性や粉末粒度の一定性が優れており、経済的であることにもよる。
【００１１】
上記チタン微粉末に混合して使用する他のチタン粉末としては、チタン原子を含有する化合物の粉末であればよい。例えば、ルチル、イタチタン石、エイスイ石等の鉱物を使用することができる。また、チタン合金粉末としては、チタンと、銅、スズ、鉄、アルミニウム、クロム、コバルト、モリブデン、タングステン等の金属との合金の粉末を使用できる。例えば、チタン合金粉末としては、Ti-Al、Ti-V、Ti-Mo、Ti-Cr、Ti-Mn、Ti-Fe、Ti-Al-Cr、Ti-Cr-Fe-O等があり、それぞれの合金の組成比が任意の粉末を用いることができる。
【００１２】
さらに、チタン化合物粉末も使用することが可能で、例えばTiH2、TiH4等の水素化物、TiO、Ti2O3、TiO2、Ti(OH)2、Ti(OH)3、M2TiO3（Mは金属原子）等の酸化物、TiS、Ti2S3、TiS2等の硫化物、Ti2(SO4)3、Ti(SO4)2、TiP2O7等の酸素酸塩、Ti2B、TiB、TiB2、Ti2B5等のホウ化物、TiCからなる炭化チタン、TiSi2、TiSi、Ti5Si3等のケイ化物、TiN、Ti3N4、Ti3N6、Ti5N6等の窒化物、TiPn等のリン化物、TiCl2、TiCl3、TiCl4、TiBr2、TiBr3、TiBr4、TiI2、TiI3、TiI4等のチタンとハロゲンとの化合物、M2TiF5、M3TiF6、M2TiF6、M2[TiCl5(OH)2]、M2TiCl6、[Ti(OH)6]Cl3、M2[TiBr6]等の複合塩、CaTiO3、SrTiO3、BaTiO3、CdTiO3、PbTiO3等のチタン酸塩等の粉末を単独又は併用で用いることができる。
【００１３】
本発明では、シリコーンエラストマーの特徴に適した身体装身具である製品には種々の製品を形成することが可能であり、服飾用装身具を兼ねたネックレス、リストバンドやヘアバンドがある。特に、スポーツ選手が神経・筋肉をリラックスさせるリストバンド、ネックレス、ブレスレットとして使用するのが効果的である。
【００１４】
本発明の身体装身具を図で説明する。
図１は本発明の身体装身具の一例で、身体装身具１はその斜視図、図２は図１Ａ−Ａ断面、図１Ｂ−Ｂ断面をそれぞれ示す。
本発明の身体装身具は、装身具本体部８、留め用連結部２（小孔部）、留め用連結部３（小球部）、表示部５よりなっている。装身具本体部８の表面側には飾り突条７が形成されており、裏面側にはチタン粉末含有層が形成されている。
成形素材にシリコーンエラストマーを用いて装飾性と身体にソフトな感触を与え、上記チタン微粉末を主成分として用いることにより金属チタンの血行促進などの生理作用や電磁気作用により従来の身体装身具に比べて優れた健康増進機能を長期に安定して発揮できる身体装身具を得ることが可能となった。本発明では、金属チタンの血行促進などの生理作用や電磁気作用などの特性を活かして従来の身体装身具に比べて優れた健康増進の機能を発揮するものである。これらチタンの作用は、チタンが皮膚に直接接触しなくても有効であり、効能発生速度も比較的速く、長期間にわたりその効力を維持しており健康増進効果が顕著である。
【００１５】
以下に本発明の製造方法を実施例に基づき説明するが、本発明は、これに限定されるものではない。
【実施例１】
【００１６】
本発明の身体装身具は、上述するようにそれぞれ押出成形、射出成形、圧縮成形によって製造できるが、成形の一例として図４〜図９に示すように圧縮成形を用いた製造法を詳細に説明する。
先ず、第１工程として図４に示すように下金型９の凹部に、本発明の装身具本体部を形成するシリコーンエラストマー素材を配置し、第１段部１４、第２段部１５を有する上金型１０を第１下金型に押しつけ、加熱加圧して加硫成形することによって、図５に示す装身具本体部８を形成するが、これは上金型の第２段部１５によって、装身具本体部８に凹部６を形成することとなる。次に第２工程として、図６に示すように同じ第１下金型に載置された装身具本体部８の凹部６にチタン粉末を含有するシリコーンエラストマー素材を埋め、加熱加圧する。加熱加圧後、図７に示すように凹部６にチタン粉末を含有するシリコーンエラストマー素材層が形成された装身具本体８が得られる。チタン粉末を含有するシリコーンエラストマー素材層は、図１に示すように長尺方向に不連続でもよいし、連続してもいずれでもよい。さらに、第３工程として、図８に示すように第２下金型に装身具の飾り突条７に相当する凹部１８を設けておき、ここに未加硫のシリコーンエラストマー７を埋めた後、上部凸部１７を形成した第２上金型１３を第２下金型１２下に押しつけ、飾り突条７を形成する。その状態で、図９に示すように第２工程で得られた凹部にチタン粉末を含有するシリコーンエラストマー層を埋めた装身具本体を載置し、上部凸部１７を形成した第２上金型１３を第２下金型１２下に押しつけて目的物の本発明の装身具を形成する。飾り突条７は、装身具本体８と異色とし、装飾性をあげるようにするのがよい。例えば、装身具本体８が黒色であれば、飾り突条７は、黄色や赤色とか製品の識別性を向上させるような配色にする。
【００１７】
得られた装身具は、図１０に示すように一方（皮膚接触側）にチタン含有層４を、他方（外側層）に飾り突条７を有する。チタン粉末を含有するシリコーンエラストマー層４は、図１に示すように不連続でもよいし、連続してもいずれでもよい。
また、上述するように、別法として、最初に上記第３工程に相当する飾り突条を形成して工程、第４工程に相当する、得られた飾り突条の上にシリコーンエラストマー本体を載置し、一体化した後、チタン微粉末を混入したシリコーンエラストマーの溶剤溶液をシリコーンエラストマー本体の一部に帯状に塗布することもできるが、工程の煩雑さ、耐久性の上で多少も問題がある。
【図面の簡単な説明】
【００１８】
【図１】本発明の製造方法によって作られたシリコーンエラストマー身体装身具の斜視図
【図２】図１Ａ−Ａ断面
【図３】図１Ｂ−Ｂ断面
【図４】第１工程（装身具本体形成段階）
【図５】装身具本体断面図
【図６】第２工程（チタン粉末含有層形成段階）
【図７】チタン粉末含有層を有する装身具本体
【図８】第３工程（飾り突条形成段階）
【図９】第４工程（装身具形成最終段階）
【図１０】図２の装身具本体断面拡大図
【符号の説明】
【００１９】
１．装身具（ネックレス）
２．留め用連結部（小孔部）
３．留め用連結部（小球部）
４．チタン粉末含有層
５．表示部
６．第１下金型凹部
７．飾り突条
８．装身具本体部
９．下金型
１０．上金型
１１．上金型
１２．下金型
１３．上金型
１４．金型第１上部
１５．金型第２上部
１６．上金型上部
１７．上金型上部
１７’．上金型上部
１８．第２下金型凹部
【図１】
2006000147.tif 000003
【図２】
2006000147.tif 000004
【図３】
2006000147.tif 000005
【図４】
2006000147.tif 000006
【図５】
2006000147.tif 000007
【図６】
2006000147.tif 000008
【図７】
2006000147.tif 000009
【図８】
2006000147.tif 000010
【図９】
2006000147.tif 000011
【図１０】
2006000147.tif 000012